(57)【要約】      （修正有）【課題】簡単な構成で、浸水検知時に、屋内にいる人間に対し警報表示を行うとともに警報音により浸水を報知することができ、浸水非検知時に、正常に機能しているか確認可能な、浸水センサー付き警報装置を提供する。【解決手段】浸水警報器１００は、浸水センサー１０１を備え、浸水検知部１０と、電源部６、制御部１１、警報表示部２、警報音発生部３及びテストスイッチ４を備えた筐体部１を有する。電源部は、制御部等に電力を供給可能に構成されている。制御部は、浸水検知時に、警報表示部で警報表示を行うとともに警報音発生部で警報音を発音する制御を行う。浸水警報器は、浸水非検知時、テストスイッチからオン信号が入力された場合に、制御部が警報表示部で警報表示を行うとともに警報音発生部で警報音を発音する制御を行うことで、警報表示部、警報音発生部及び電源部が正常に機能しているか確認可能に構成されている。【選択図】図４
0003226223.tif 000002
【実用新案登録請求の範囲】
【請求項１】
浸水センサーを備え、浸水を検知可能な浸水検知部と、
電源部、制御部、警報表示部、警報音発生部、及びテストスイッチが設けられた筐体部とを有し、
前記電源部は、少なくとも前記制御部、前記警報表示部、前記警報音発生部、及び前記テストスイッチに電力を供給可能に構成され、
前記制御部は、接続部を介して着脱自在に接続された前記浸水検知部により浸水を検知した場合に、前記警報表示部で警報表示を行うとともに前記警報音発生部で警報音を発音する制御を行い、前記テストスイッチからオン信号が入力された場合に、前記警報表示部で警報表示を行うとともに前記警報音発生部で警報音を発音する制御を行うことで、前記警報表示部、前記警報音発生部、及び前記電源部が正常に機能しているか確認可能であることを特徴とする
浸水センサー付き浸水警報器。
【考案の詳細な説明】
【技術分野】
【０００１】
本考案は、浸水センサー付き浸水警報器に関する。
【背景技術】
【０００２】
近年の台風の大型化や到来回数の増加およびゲリラ豪雨の増加、特に令和元年の台風１９号（令和元年東日本台風）の記録的豪雨による河川堤防の溢水に伴う洪水による家屋への甚大な浸水被害は、記憶に新しいものであり、今後も地球温暖化による同様な浸水被害が懸念されている。
例えば、船舶や駐車場への浸水や異常水位を検知する装置が知られている（例えば、特許文献１，２参照）。
【先行技術文献】
【特許文献】
【０００３】
【特許文献１】特開２００５−０５５２４３号公報
【特許文献２】特開２００２−３１２８８１号公報
【考案の概要】
【考案が解決しようとする課題】
【０００４】
ところで、河川の氾濫等で、家屋内に浸水した場合、例えば停電等でＴＶ放送やラジオ放送の受信装置、携帯通信端末（スマートフォンや携帯電話等）などが使用不可状態では、早期避難の機会を逸した家屋内に居る人間が危険を知ることができず、家屋内高所への避難が遅れる虞がある。
【０００５】
例えば住居等建物や浸水の虞のある場所で使用でき、簡単な構成で、安価な浸水警報器が望まれている。
また、簡単な構成で、早期避難の機会を逸した人に対する家屋内高所への最終避難を促すことができる浸水警報器が望まれている。
また、非浸水時に、簡単な構成で、浸水警報器の警報音や警告表示、電池等の電源部の動作確認を行うことができる浸水警報器が望まれている。
【課題を解決するための手段】
【０００６】
本考案に係る浸水センサー付き浸水警報器は、少なくとも以下の構成を具備する。
浸水センサー付き浸水警報器は、
浸水センサーを備え、浸水を検知可能な浸水検知部と、
電源部、制御部、警報表示部、警報音発生部、及びテストスイッチが設けられた筐体部とを有し、
前記電源部は、少なくとも前記制御部、前記警報表示部、前記警報音発生部、及び前記テストスイッチに電力を供給可能に構成され、
前記制御部は、接続部を介して着脱自在に接続された前記浸水検知部により浸水を検知した場合に、前記警報表示部で警報表示を行うとともに前記警報音発生部で警報音を発音する制御を行い、前記テストスイッチからオン信号が入力された場合に、前記警報表示部で警報表示を行うとともに前記警報音発生部で警報音を発音する制御を行うことで、前記警報表示部、前記警報音発生部、及び前記電源部が正常に機能しているか確認可能であることを特徴とする。
【考案の効果】
【０００７】
本考案によれば、住居等建物や浸水の虞のある場所が浸水した場合、屋内等に居る人間に対し、確実に浸水を報知可能な、簡単な構成で、安価な浸水警報器を提供することができる。
また、非浸水時に、簡単な構成で、浸水警報器の警報音や警告表示、電池等の電源部の動作確認を行うことができる浸水警報器を提供することができる。
【図面の簡単な説明】
【０００８】
【図１】本考案の実施形態に係る浸水警報器の設置例を示す概念図である。
【図２】浸水警報器の筐体部（本体部）の一例を示す概念図である。
【図３】浸水警報器の電気的な機能ブロックの一例を示す図である。
【図４】浸水警報器の電気的な機能ブロックの具体例を示す図である。
【考案を実施するための形態】
【０００９】
本考案の実施形態に係る浸水センサー付き浸水警報器は、浸水センサーを備え、浸水を検知可能な浸水検知部と、電源部、制御部、警報表示部、警報音発生部、及びテストスイッチが設けられた筐体部とを有する。電源部は、少なくとも制御部、警報表示部、警報音発生部、及びテストスイッチに電力を供給可能に構成されている。
制御部は、接続部を介して着脱自在に接続された浸水検知部により浸水を検知した場合に、警報表示部で警報表示を行うとともに警報音発生部で警報音を発音する制御を行う。浸水警報器は、浸水非検知時、テストスイッチからオン信号が入力された場合に、制御部が、警報表示部で警報表示を行うとともに警報音発生部で警報音を発音する制御を行うことで、警報表示部、警報音発生部、及び電源部が正常に機能しているか確認可能に構成されている。
【００１０】
以下、本考案の実施形態を、図面を参照しながら説明する。本考案の実施形態は図示の内容を含むが、これのみに限定されるものではない。尚、以後の各図の説明で、既に説明した部位と共通する部分は同一符号を付して重複説明を一部省略する。
【００１１】
図１は本考案の実施形態に係る浸水センサー付き浸水警報器１００の設置例を示す概念図である。図２は浸水警報器１００の筐体部１（本体部）の一例を示す概念図である。図３は浸水警報器１００の電気的な機能ブロックの一例を示す図である。図４は浸水警報器１００の電気的な機能ブロックの具体例を示す図である。
【００１２】
浸水警報器１００は、浸水警報器の浸水検知部１０（浸水センサー１０１（電極））により浸水を検知し、警報表示（ＬＥＤの点滅表示等）と警報音発生部を動作させ、可聴・可視の警報を発するものである。
また、設置位置の自由度を上げ、更に停電時にも確実な動作を確保するため、浸水警報器１００の電源部６として乾電池を採用した。また、浸水警報器１００は、テストスイッチ４を備え、浸水非検知時に、浸水警報器１００の動作および電源部６としての乾電池の良否をチェックすることができる。
【００１３】
詳細には、図１に示す例では、河川７００の堤防６００付近に住居等建物５００が建てられている。この建物５００は、例えば２階建て以上の建築物である。
浸水警報器１００の浸水検知部１０が住居等建物５００の玄関先等に設置され、浸水警報器１００の筐体部１（本体部）が住居等建物５００の１階部分に設定されている。
例えば、大雨等で河川７００から堤防６００を越えて溢水し、住居等建物５００が浸水し、浸水検知部１０により浸水が検知された場合に、浸水警報器１００の筐体部１は、例えばＬＥＤ表示灯の点滅などの警報表示と、警報ブザー音が鳴動することで、室内の人に浸水を確実に警告することができる。すなわち、早期避難の機会を逸した人に、建物内高所への最終避難を促すことができる。
【００１４】
図２に示す例では、浸水警報器１００の筐体部１に、例えば、ジャック７（接続部）、テストスイッチ４、警報表示部２としてＬＥＤ表示灯２１，２２（ＬＥＤ素子）、警報音発生部３が設けられている。ジャック７には、浸水検知部１０に設けられたプラグ（接続部）が着脱自在に構成されている。
【００１５】
また、図３，４に示すように、浸水検知部１０は、例えば、所定距離だけ離れて設置された一対の電極からなる浸水センサー１０１を有し、浸水センサー１０１はセンサーケーブル９を介してプラグ８に電気的に接続されている。
【００１６】
また、図３，４に示すように、筐体部１には、電子基板５や、電源部６としての乾電池などを収容する電池ホルダー６Ｈが設けられている。
電子基板５には、制御部１１（制御回路）、発光警告表示を行う警報表示部２、可聴音警報を行う警報音発生部３、テストスイッチ４が設けられている。
詳細には、制御部１１（制御回路）は、例えばトランジスタ等からなる。
警報表示部２は、ＬＥＤ表示灯２１，２２と、ＬＥＤ点滅回路２３を有する。ＬＥＤ点滅回路２３は、ＬＥＤ表示灯２１，２２を点滅させる。
【００１７】
警報音発生部３は、警報音発生回路３１、警報音増幅回路３２、昇圧インダクタ３３、圧電サウンダー３４等を有する。
【００１８】
浸水警報器１００の動作の一例を説明する。
浸水発生時、浸水センサー１０１の電極間に水を介して、制御部１１（制御回路）のトランジスタに微小なベース電流が流れる。
制御部１１は、微小なベース電流をトランジスタのダーリントン接続で、約４万倍に増幅する。
制御部１１（制御回路）のトランジスタがオン状態になり、ＬＥＤ点滅回路２３及び警報音発生回路３１が動作し、警報音増幅回路３２で増幅し、昇圧インダクタ３３により高電圧として圧電サウンダー３４を駆動することにより、警報表示部２と警報音発生部３とで、可聴・可視の警報を発する。
つまり、浸水警報器の浸水センサーを設けることで水位を電気的に検知し、家屋内に浸入してきた水位を検知し、避難を促すＬＥＤ表示は人体の目に反応し、警報ブザー音は人体の耳に反応して就寝中の避難にも有効である。
【００１９】
また、非浸水時に、テストスイッチ４をオン状態とすることにより、オン状態を示す信号が制御部１１に入力される。制御部１１は、上述した警報と略同様に、警報表示部２で警報表示を行うとともに警報音発生部３で警報音を発音する制御を行うことで、警報表示部２、警報音発生部３、及び電源部６が正常に機能している、乾電池の良否を含めた動作のチェックをすることができる。
【００２０】
以上、説明したように、本考案の実施形態に係る、浸水センサー付き浸水警報器１００は、浸水センサー１０１を備え、浸水を検知可能な浸水検知部１０と、
電源部６、制御部１１、警報表示部２、警報音発生部３、及びテストスイッチ４が設けられた筐体部１を有する。
電源部６は、少なくとも制御部１１、警報表示部２、警報音発生部３、及びテストスイッチ４に電力を供給可能に構成されている。
制御部１１は、接続部（ジャック７，プラグ８）を介して着脱自在に接続された浸水検知部１０により浸水を検知した場合に、警報表示部２で警報表示を行うとともに警報音発生部３で警報音を発音する制御を行う。また、浸水警報器１００は、浸水非検知時、テストスイッチ４からオン信号が入力された場合に、制御部１１は、警報表示部２で警報表示を行うとともに警報音発生部３で警報音を発音する制御を行うことで、警報表示部２、警報音発生部３、及び電源部６が正常に機能しているか確認可能に構成されている。
すなわち、簡単な構成で、浸水検知時に、屋内にいる人間に対し警報表示部２で警報表示を行うとともに警報音発生部３で警報音により浸水を報知することができ、浸水非検知時に、警報表示部２、警報音発生部３、電源部６が正常に機能しているか確認可能な、浸水センサー１０１付き浸水警報器１００を提供することができる。
【００２１】
また、住居等建物や浸水の虞のある場所が浸水した場合、屋内等に居る人間に対し、確実に浸水を報知可能な、簡単な構成で、安価な浸水警報器１００を提供することができる。
また、非浸水時に、簡単な構成で、浸水警報器の警報音や警告表示、電池等の電源部の動作確認を行うことができる浸水警報器１００を提供することができる。
【００２２】
また、簡単な構成で、早期避難の機会を逸した人に対する家屋内高所への最終避難を促すことができる浸水警報器１００を提供することができる。
【００２３】
以上、本考案の実施形態について図面を参照して詳述してきたが、具体的な構成はこれらの実施形態に限られるものではなく、本考案の要旨を逸脱しない範囲の設計の変更等があっても本考案に含まれる。
また、上述の各図で示した実施形態は、その目的、構成等に特に矛盾や問題がない限り、互いの記載内容を組み合わせることが可能である。
また、各図の記載内容はそれぞれ独立した実施形態になり得るものであり、本考案の実施形態は各図を組み合わせた一つの実施形態に限定されるものではない。
【符号の説明】
【００２４】
１…筐体部（浸水警報器本体）
２…警報表示部（ＬＥＤ表示灯）
３…警報音発生部（警報ブザー）
４…テストスイッチ（動作テストスイッチ）
５…電子基板
６…電源部（単３電池４本等）
７…ジャック（センサー接続ジャック）
８…プラグ（センサープラグ）
９…センサーケーブル
１０…浸水検知部
１１…制御部（制御回路）
２１，２２…ＬＥＤ表示灯（ＬＥＤ素子）
２３…ＬＥＤ点滅回路
３１…警報音発生回路
３２…警報音増幅回路
３３…昇圧インダクタ
３４…圧電サウンダー
１００…浸水警報器（浸水センサー付き浸水警報器）
１０１…浸水センサー
５００…建物（住居等建物）
【図１】
0003226223.tif 000003
【図２】
0003226223.tif 000004
【図３】
0003226223.tif 000005
【図４】
0003226223.tif 000006